(57)【要約】本発明は、パッチパネルの差し込みコネクタのための接点装置であって、前記差し込みコネクタは導体路を介して回路板上の電気的及び／又は電子的な構成要素に接続されるようになっている形式のものにおいて、次の特徴を有しており、ａ）回路板（７）の縁部（１３）にメスコンタクト（１４）の受容部内へ差し込み可能な少なくとも２つの接触区分（８，９）を設けてあり、ｂ）少なくとも２つの各接触区分（８，９）内で、各導体路（３，４，５，６）はそれぞれ回路板の縁部の上面（１１）の１つの接触面（１０）及び下面（１２）の１つの接触面（１０′）を介して導かれており、ｃ）少なくとも２つの各接触区分（８，９）内で、それぞれ各導体路（３，４，５，６）に所属する接触面（１０，１０′）の空間的な配置は互いに異なっており、ｄ）少なくとも２つの接触区分（８，９）のうちの１つの接触区分上へのメスコンタクトの差し嵌めによって、それぞれ相対して位置する上側の接触面（１０）と下側の接触面（１０′）とは互いに接触されるようになっている。
2006523919.tif 000002
【特許請求の範囲】
【請求項１】
パッチパネルの差し込みコネクタのための接点装置であって、前記差し込みコネクタは導体路を介して回路板上の電気的及び／又は電子的な構成要素に接続されるようになっている形式のものにおいて、
ａ）回路板（７）の縁部（１３）にメスコンタクト（１４）の受容部内へ差し込み可能な少なくとも２つの接触区分（８，９）を設けてあり、
ｂ）少なくとも２つの各接触区分（８，９）内で、各導体路（３，４，５，６）はそれぞれ回路板の縁部の上面（１１）の１つの接触面（１０）及び下面（１２）の１つの接触面（１０′）を介して導かれており、
ｃ）少なくとも２つの各接触区分（８，９）内で、それぞれ各導体路（３，４，５，６）に所属する接触面（１０，１０′）の空間的な配置は互いに異なっており、
ｄ）少なくとも２つの接触区分（８，９）のうちの１つの接触区分上へのメスコンタクトの差し嵌めによって、それぞれ相対して位置する上側の接触面（１０）と下側の接触面（１０′）とは互いに接触されるようになっていることを特徴とする、差し込みコネクタのための接点装置。
【請求項２】
接触面は長方形として形成されており、長方形は挿抜方向に延びていて、回路板の縁部の上面若しくは下面に一列にかつ互いに平行に配置されている請求項１に記載の接点装置。
【請求項３】
隣接の接触区分は、差し込み方向に延びるスリット状の切欠き部によって互いに分離して配置されている請求項１又は２に記載の接点装置。
【請求項４】
メスコンタクト（１４）は接点ばね部材を有しており、該接点ばね部材は差し込み方向（５）に向いて開いた１つの挿入シャフト（１７）内に配置されている請求項１から３のいずれか１項に記載の接点装置。
【請求項５】
各接点ばね部材は、それぞれ１つのＵ字形の打ち抜き曲げ成形部品によって形成されており、該打ち抜き曲げ成形部品の脚部（１８，１９）は該打ち抜き曲げ成形部品自体のばね力によって、上側の接触面（１０）若しくは下側の接触面（１０′）に接触している請求項４に記載の接点装置。
【請求項６】
挿入シャフト（１７）は直方体形状で形成されており、該挿入シャフトの相対する側壁（２０，２１）はメスコンタクト（１４）の差し嵌め状態ではそれぞれ１つの切欠き部（１６）内に案内されている請求項４又は５に記載の接点装置。
【請求項７】
挿入シャフト（１７）の開口部とは逆の側につかみ部（２２）を設けてあり、該つかみ部はメスコンタクトの差し嵌め状態では回路板（７）の端面と同一面を成している請求項４又は５に記載の接点装置。
【請求項８】
挿入シャフト（１７）の幅は、２つの接触区分（８，９）の幅にわたる寸法に規定されており、かつ接点ばね部材は１つの接触区分の幅に相当する片側の領域でのみ挿入シャフト内に設けられている請求項６から８のいずれか１項に記載の接点装置。
【請求項９】
挿入シャフト（１７）は、プラスチックから成る射出成形部品によって形成されており、接点ばね部材の脚部（１８，１９）間の結合部分はポリマー材料内に埋め込まれている請求項４から８のいずれか１項に記載の接点装置。
【請求項１０】
差し込みコネクタ（２）は、２つの接触区分（８，９）と一緒に空間的にまとめられている請求項１から９のいずれか１項に記載の接点装置。
【請求項１１】
差し込みコネクタ（２）は、ミニ・ウエスタン・ソケット（RJ-45-ソケット）の形状のISDN-(SO)-インターフェイスとして構成されている請求項１から９のいずれか１項に記載の接点装置。
【発明の詳細な説明】
【技術分野】
【０００１】
本発明は、パッチパネルの差し込みコネクタのための接点装置であって、前記差し込みコネクタは導体路を介して１つの回路板上の電気的及び／又は電子的な構成要素に接続されるようになっている形式のものに関する。
【０００２】
電気通信において、データの入れ換えのためにパッチパネルを用いている。パッチパネルは、到来するケーブルのラインに生じるデータをパッチパネルのフロントプレートの差し込みコネクタによって取り出すようになっている切換領域である。フロントプレートの差し込みコネクタは一般的に、パッチパネルのケーシング内の基板に直接にろう付けされ、かつプリントされた導体路を介して基板上の構成要素に接続されている。データの取り出しを行うために、差し込みソケットのコネクタ配線をフロントプレートで再構成する場合がある。このような例は特に、ISDN-通信システムにおいていわゆる外部のSO-ポート（デジタル局接続部）と内部のSO-バス（ISDN-端末機用のSO 接続部）との間の箇所の前で接続部を再構成しなければならない場合である。このような再構成はケーシングの開放及びSR-心線とSX-心線との手動の切換を必要とする。ラインのこのような手動切換は時間を必要とし、かつエラーを引き起こすことになる。
【０００３】
基板コネクタの接続配線の再構成のために、原理的には第２の差し込みソケット若しくはDIL-(デュアルインライン[Dual-In-Line])-スイッチを用いることになる。２つの差し込みソケットを用いる手段は、煩雑である。DIL-スイッチを用いる手段には、コード化された切換位置から差し込みコネクタの接続配線を容易に識別できないという欠点がある。
【０００４】
本発明の課題は、パッチパネルの差し込みコネクタのための接点装置を改善して、接続配線を外部から識別できかつ接点装置の製造を安価にすることである。
【０００５】
前記課題を解決するために本発明では、ａ）回路板の縁部にメスコンタクトの受容部内へ差し込み可能な少なくとも２つの接触区分を設けてあり、ｂ）少なくとも２つの各接触区分内で、各導体路はそれぞれ回路板の縁部の上面の１つの接触面及び下面の１つの接触面を介して導かれており、ｃ）少なくとも２つの各接触区分内で、それぞれ各導体路に所属する接触面の空間的な配置若しくは接続配線は互いに異なっており、ｄ）少なくとも２つの接触区分のうちの１つの接触区分上へのメスコンタクトの被せ嵌めによって、それぞれ相対して位置する上側の接触面と下側の接触面とは互いに接触されるようになっている。
【０００６】
メスコンタクトの差し嵌めによって、パッチパネルの差し込みコネクタの構成は外部から容易に識別される。その結果、ケーシングを現場で開かなくてもすむようになっている。差し込みコネクタの構成は、取り違えを排除できるように回路板のレイアウトによって行われている。基板上の接触領域はプリント回路技術によって簡単に形成されるものである。メスコンタクトの製造には、すでにある工具を利用することができ、工具はわずかに変更されるだけでよい。
【０００７】
本発明の有利な実施態様を従属請求項に記載してある。
【０００８】
接触面を長方形として形成し、長方形が差し込み方向に延びていて、回路板の縁部の上面若しくは下面に一列にかつ互いに平行に配置されている場合には、メスコンタクトの摩擦結合式の差し嵌めによって基板の上面及び下面の接触面間の確実な接触を生ぜしめている。
【０００９】
有利には隣接の接触区分は、差し込み方向に延びるスリット状若しくは長孔状の切欠き部（すり割部）によって互いに分離して配置されている。縁部のすり割部は、メスコンタクトの差し嵌めの際の挿入シャフトの側壁の案内を形成している。
【００１０】
有利な実施態様では、挿入シャフト内に配置された各接点ばね部材は、それぞれ１つのＵ字形の打ち抜き曲げ成形部品によって形成されており、該打ち抜き曲げ成形部品の脚部は、差し嵌め状態では該打ち抜き曲げ成形部品自体のばね力によって、上側の接触面若しくは下側の接触面に接触している。
【００１１】
製造コストに関連して特に有利な実施態様では、メスコンタクトの挿入シャフトはプラスチックから成る射出成形部品によって形成されている。各接点ばね部材はＵ字形の脚部の結合部分の領域でポリマー材料内に埋め込まれている。
【００１２】
有利には２つの接触区分は、それぞれ１つの差し込みコネクタと一緒に空間的にまとめられている。このように互いに空間的に対応した配置によって、差し込みコネクタの接続配線の構成は外部から容易に識別される。さらにメスコンタクト上の記号若しくは文字は、パッチパネルのフロントプレート上の対応する記号若しくは文字と関連して識別を容易にする。
【００１３】
図１乃至図４は、本発明に基づく接点装置１の実施例の斜視図であり、該接点装置（接続装置又はコンタクト装置[contacting device]）は２つの差し込み区分（接触区分又はコンタクト区分）８，９（図１及び図４は差し込みの前、図２及び図３は差し込みの後）及び挿抜式のメスコンタクト１４を備えている。メスコンタクト（橋絡ばね接点片）１４の差し嵌めによって、差し込みコネクタ２の接続配線は構成される。差し込みコネクタ２は、RJ-45（ミニ・ウエスターン）-差し込みソケット(Mini-Western-Steckbuchse)２と呼ばれる。差し込み区分８，９はパッチパネル(patch panel)のフロントプレート（図示省略）からアクセス可能である。図１乃至図５において同じ構造若しくは機能の構成部材は、同じ符号を付けてある。
【００１４】
図１に示してあるように、両方の差し込み区分８，９は回路板７の縁部１３に互いに並べられかつ差し込みソケット（コンタクトソケット又はコンタクトブッシュ）２に対して空間的に隣接して配置されている。図５の回路図に示してあるように、導体路３，４，５，６は、差し込みコネクタ２を回路板上の電気的及び／又は電子的な構成ユニット（図示省略）へ接続するためにそれぞれ各接触面１０，１０′へ導かれている。接触面１０，１０′は図示の実施例では長方形である。基板平面で見て長方形は、差し込み方向１５に延びていて、一列にかつ互いに平行に配置されている。各導体路はそれぞれ、基板の上面１１の１つの接触面１０若しくは基板の下面１２の１つの接触面１０′内で終わっている。各差し込み区分８，９の両側で回路板７の縁部１３に切欠き部１６をフライス加工によって形成してある。切欠き部１６は、メスコンタクト１４の挿入シャフト１７の側壁２０，２１に対する案内部を形成していて、メスコンタクト内への差し込みのために役立っている。メスコンタクト１４はつかみ部２２を有しており、つかみ部は差し込み区分上へのメスコンタクトの差し嵌め状態で回路板の縁と同列（同一面）を成している（図２及び図３、参照）。差し込みコネクタ２の各配線の識別を容易にするために、メスコンタクト１４は符号２３，２４を付けてあってよい。符号２３，２４は象徴的に文字「Ａ」で表してある。符号２３，２４は、パッチパネルのフロントプレート上の対応する符号と関連して、配線に関する情報を明らかにするものである。
【００１５】
図４は接点装置１を、メスコンタクト１４の差し嵌めの前の状態で挿入シャフト１７の開口の側から示している。挿入シャフト１７の開口には接点ばね部材が見えている。各接点ばね部材は、Ｕ字形の薄板打ち抜き曲げ成形部材から成っている。Ｕ字形の薄板打ち抜き曲げ成形部材（接点ばね部材）の脚部１８，１９は、差し嵌め状態ではばね力に基づきそれぞれ、上側の接触面１０及び下側の接触面１０′に圧着されている。これによって、１つの差し込み区分８，９の上面（表面）１１若しくは下面（裏面）１２の相対する各接触面は互いに接続される。
【００１６】
図１乃至図４の実施例では挿入シャフト１７の幅は、１つの差し込み区分の幅に相応している。図示してないものの変化例では、挿入シャフトは、２つの差し込み区分の幅に相応する幅で形成されていてよく、即ち挿入シャフトの幅は２つの差し込み区分８及び９の幅にわたって広がっていてよいものの、しかしながら挿入シャフトは１つの差し込み区分８又は９の幅にのみ接点ばね部材を備えている。これによって該変化例のメスコンタクトは、１８０度にわたる反転によって第１の位置で若しくは第２の位置で、差し込み区分８，９上へ差し嵌められて、差し込み区分８の接触面若しくは差し込み区分９の接触面を橋絡できるようになっている。該変化例のメスコンタクトの挿入シャフトの側壁２１，２２は差し嵌め状態でそれぞれ、側方外側に位置する切欠き部１６内に係合している。
【００１７】
図５には、ISDN-接続部のRJ-45差し込みコネクタの構成のための回路を示してある。OS-接続部は信号ラインSX1、SX2、SR1、及びSR2から成っている。導体路３，４，５，６は、回路板上の電子式の構成部材（図示省略）をRJ-45 ソケット２と接続するようになっている。コンタクト区分８，９は回路図には回路板の部分として概略的に示してある。各導体路はそれぞれ、基板の縁部で上面の１つの接触面１０と下面の１つの接触面１０′とを介してつながるようになっている。導体路の配置若しくは配線は接触区分８と接触区分９とで互いに異なっている。外側のOS-駆動部と内側のOS-駆動部との間の切換のために、心線SRとSX（導体路６と５若しくは４と３）は交差される。このことは、接点装置１によってメスコンタクト１４を一方の差し込み区分から他方の差し込み区分へ差し嵌め変えることに基づき行われる。メスコンタクト１４を左側の差し込み区分８か若しくは右側の差し込み区分９に差し嵌めるかに応じて、ISDN-接続部はデジタル局の接続部に配線され、若しくはISDN-OS-端末器の接続部に配線される。
【００１８】
図示の実施例は１つの差し込みコネクタを有しており、該差し込みコネクタに対応して２つの差し込み区分８，９を配置してある。本発明に基づく接点装置はISDN-接続部の再構成のためにも用いられる。もちろん本発明は１つのパッチパネルのための図示の実施例に限定されるものではない。本発明は多極式の回路板差し込みコネクタ若しくは、配線のための３つ以上の接触区分を備えた回転形コネクタ或いは条片形コネクタから成る差し込みコネクタにも用いられ得るものである。
【図面の簡単な説明】
【００１９】
【図１】本発明に基づく接点装置の、差し込み区分上へのメスコンタクトの差し嵌め前の状態での斜視図
【図２】本発明に基づく接点装置の、メスコンタクトの差し嵌められた状態での斜視図
【図３】本発明に基づく接点装置の、メスコンタクトの差し嵌められた状態での斜視図
【図４】本発明に基づく接点装置の、差し込み区分上へのメスコンタクトの差し嵌め前の状態での挿入シャフトの開口部の側から見た斜視図
【図５】ISDN-接続部のRJ-45 差し込みコネクタの再構成のための本発明に基づく接点装置の回路図
【符号の説明】
【００２０】
２  差し込みコネクタ、  ３，４，５，６  導体路、  ７  回路板、  ８，９  差し込み区分、  １０，１０′  接触面、  １１  上面、  １２  下面、  １３  縁部、  １４  メスコンタクト、  １６  切欠き部、  １７  挿入シャフト、  １８，１９  脚部、  ２０，２１  側壁、  ２２  つかみ部
【図１】
2006523919.tif 000003
【図２】
2006523919.tif 000004
【図３】
2006523919.tif 000005
【図４】
2006523919.tif 000006
【図５】
2006523919.tif 000007
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
パッチパネルの差し込みコネクタのための接点装置であって、前記差し込みコネクタは導体路を介して１つの回路板上の電気的及び／又は電子的な構成要素に接続されるようになっている形式のものにおいて、
ａ）回路板（７）の縁部（１３）にメスコンタクト（１４）の受容部内へ差し込み可能な少なくとも２つの接触区分（８，９）を設けてあり、
ｂ）導体路は中断されており、該導体路（３，４，５，６）の各１つの部分は差し込みコネクタ（２）に接続されかつ、各別の部分は電気的及び／又は電子的な１つの構成要素に接続されており、この場合に前記導体路１つの部分は上面（１１）を延び、かつ別の部分片は下面（１２）を延びており、
ｃ）少なくとも２つの各接触区分（８，９）内で、各導体路（３，４，５，６）はそれぞれ回路板の縁部の上面（１１）の１つの接触面（１０）及び下面（１２）の１つの接触面（１０′）を介して導かれており、
ｄ）少なくとも２つの各接触区分（８，９）内で、それぞれ各導体路（３，４，５，６）に所属する接触面（１０，１０′）の空間的な配置は互いに異なっており、
ｅ）少なくとも２つの接触区分（８，９）のうちの１つの接触区分上へのメスコンタクトの差し嵌めによって、該接触区分（８，９）のそれぞれ相対して位置する上側の接触面（１０）と下側の接触面（１０′）とは互いに接触されるようになっていることを特徴とする、差し込みコネクタのための接点装置。
【請求項２】
接触面は長方形として形成されており、長方形は差し込み方向に延びていて、回路板の縁部の上面若しくは下面に一列にかつ互いに平行に配置されている請求項１に記載の接点装置。
【請求項３】
隣接の接触区分は、差し込み方向に延びるスリット状の切欠き部によって互いに分離して配置されている請求項１又は２に記載の接点装置。
【請求項４】
メスコンタクト（１４）は接点ばね部材を有しており、該接点ばね部材は差し込み方向（５）に向いて開いた１つの挿入シャフト（１７）内に配置されている請求項１から３のいずれか１項に記載の接点装置。
【請求項５】
各接点ばね部材は、それぞれ１つのＵ字形の打ち抜き曲げ成形部品によって形成されており、該打ち抜き曲げ成形部品の脚部（１８，１９）は該打ち抜き曲げ成形部品自体のばね力によって、上側の接触面（１０）若しくは下側の接触面（１０′）に接触している請求項４に記載の接点装置。
【請求項６】
挿入シャフト（１７）は直方体形状で形成されており、該挿入シャフトの相対する側壁（２０，２１）はメスコンタクト（１４）の差し嵌め状態ではそれぞれ１つの切欠き部（１６）内に案内されている請求項４又は５に記載の接点装置。
【請求項７】
挿入シャフト（１７）の開口部とは逆の側につかみ部（２２）を設けてあり、該つかみ部はメスコンタクトの差し嵌め状態では回路板（７）の端面と同一面を成している請求項４又は５に記載の接点装置。
【請求項８】
挿入シャフト（１７）の幅は、２つの接触区分（８，９）の幅にわたる寸法に規定されており、かつ接点ばね部材は１つの接触区分の幅に相当する片側の領域でのみ挿入シャフト内に設けられている請求項６又は７に記載の接点装置。
【請求項９】
挿入シャフト（１７）は、プラスチックから成る射出成形部品によって形成されており、接点ばね部材の脚部（１８，１９）間の結合部分はポリマー材料内に埋め込まれている請求項４から８のいずれか１項に記載の接点装置。
【請求項１０】
差し込みコネクタ（２）は、２つの接触区分（８，９）と一緒に空間的にまとめられている請求項１から９のいずれか１項に記載の接点装置。
【請求項１１】
差し込みコネクタ（２）は、ミニ・ウエスタン・ソケット（RJ-45-ソケット）の形状のISDN-(SO)-インターフェイスとして構成されている請求項１から９のいずれか１項に記載の接点装置。
【国際調査報告】
2006523919.tif 000008
2006523919.tif 000009
2006523919.tif 000010
2006523919.tif 000011